(57)【特許請求の範囲】
【請求項１】
撮影システムであって、
位置情報と当該位置情報が示す位置に存在する撮影対象とが対応付けられて記憶され、撮影情報と撮影状況とが対応付けられて記憶され、前記撮影対象及び前記撮影状況のそれぞれと撮影条件を設定する為の撮影条件情報とが対応付けられて記憶されたデータベースと、
撮影位置及び撮影情報を取得する撮影情報取得手段と、
撮影対象を撮像することにより、撮影対象の画像データを取得する撮像手段と、
前記撮影情報取得手段で取得した撮影位置に対応する撮影対象を前記データベースから求め、前記撮影情報取得手段で取得した撮影情報に対応する撮影状況を前記データベースから求め、この撮影対象と撮影状況に対応する撮影条件情報を、前記データベースから取得する撮影情報分析手段と、
前記撮影情報分析手段で取得した撮影条件情報に基づいて、前記撮像手段の撮影条件を設定する撮影条件設定手段と
を有し、
前記撮影条件設定手段は、撮影対象に対応する撮影条件情報と撮影状況に対応する撮影条件情報とを組み合わせて前記撮像手段の撮影条件を設定することを特徴とする撮影システム。
【請求項２】
撮影システムであって、
撮影条件を設定する為の撮影条件情報と、この撮影条件情報が適用される撮影対象及び撮影状況とが対応付けられて記憶された撮影条件情報データベースと、
撮影位置及び撮影情報を取得する撮影情報取得手段と、
位置情報と撮影対象とが対応付けられて記憶され、撮影情報と撮影状況とが対応付けられて記憶された撮影情報データベースと、
撮影対象を撮像することにより、撮影対象の画像データを取得する撮像手段と、
前記撮影情報取得手段で取得した撮影位置及び撮影情報に対応する撮影対象及び撮影状況を、前記撮影情報データベースから検索し、この撮影対象及び撮影状況に対応する撮影条件情報を、前記撮影条件情報データベースから取得する撮影情報分析手段と、
前記撮影情報分析手段で取得した撮影条件情報に基づいて、前記撮像手段の撮影条件を設定する撮影条件設定手段と
を有し、
前記撮影条件設定手段は、撮影対象に対応する撮影条件情報と撮影状況に対応する撮影条件情報とを組み合わせて前記撮像手段の撮影条件を設定することを特徴とする撮影システム。
【請求項３】
前記撮影情報取得手段は、撮影日時の情報を取得する手段を備えることを特徴とする請求項１又は２に記載の撮影システム。
【請求項４】
前記撮影情報取得手段は、撮影時の天候の情報を取得する手段を備えることを特徴とする請求項１から請求項３のいずれかに記載の撮影システム。
【請求項５】
前記撮影情報取得手段は、撮影角度の情報を取得する手段を備えることを特徴とする請求項１から請求項４のいずれかに記載の撮影システム。
【請求項６】
画像データを補正する為の画像補正情報が記憶された記憶手段と、
前記撮影情報取得手段で取得した撮影情報を分析し、前記画像データの画像補正情報を、前記記憶手段から取得する撮影情報分析手段と、
前記撮影情報分析手段で取得した画像補正情報に基づいて、前記撮像手段で取得した画像データを補正処理する画像処理手段と
を有することを特徴とする請求項１から請求項５のいずれかに記載の撮影システム。
【発明の詳細な説明】
【技術分野】
【０００１】
本発明は撮影技術に関し、特に、特に撮影対象や撮影状況に関する情報を取得し、その情報に基づいて、撮影対象や撮影状況下における最適な撮影条件をカメラ等の撮像手段に設定する撮影システム及びその撮影条件の設定方法とそれに用いられる端末及びサーバ等に関する。
【背景技術】
【０００２】
従来、銀塩、デジタルを問わず、適切な撮影画像を得る為、撮影対象物(人物・花)や対象の状態(屋外・夜景)によって、撮影前に適切な絞りやシャッタースピード、ホワイトバランスの設定等を調整する技術がある。このような技術はシーンセレクトと呼ばれ、例えば、スポーツの撮影を行う場合には、スポーツシーンのモードを選択しておけば、可能な限り早いシャッタースピードで撮影され、動きの速い人物を静止した状態で撮影することができる。しかしながら、設定の容易性の観点から、撮影状況に多くの条件数を設定することができず、代表的な撮影条件に対して汎用的な設定値のみ準備してい為、千差万別である実際の撮影状況に対して、効果はさほど高くない。【０００３】
一方、写真を少しでも美しく取りたいという要望は依然強く、その要望に答えるものとして、撮影対象に推奨される構図をユーザに提供しようとする技術がある（例えば、特許文献１）。【０００４】
特許文献１に開示された技術は、図１０に示される如く、撮影位置を表す位置情報と対応付けて、撮影位置における推奨構図の画像を表す複数の推奨構図データＲを推奨構図記憶手段４００に記憶しておく。ＧＰＳ手段４０３はＧＰＳ衛星からの測位用電波を受け、ＧＰＳ情報Ｇを読出手段４０５に入力する。読出手段４０５はＧＰＳ情報の位置情報に基づいて、推奨構図記憶手段４０４を検索し、推奨構図データＲ０があればこれを読み出して重畳手段４０７に入力する。撮像手段４０１により撮像される画像データＳ０も重畳手段４０７に入力され、ここで画像データＳ０と推奨構図データＲ０との重畳画像Ｃ０が生成され、表示手段４０８に表示される。画像データＳ０はリアルタイムで表示手段４０８に表示されるため、撮影者は推奨構図画像Ｒ０と画像Ｓ０とを一致させて撮影を行うことにより、推奨される構図となる画像を得ることができる。
【特許文献１】特開２００２−１０１１４号公報
【発明の開示】
【発明が解決しようとする課題】
【０００５】
しかしながら、上述の従来技術は、写真を美しく取る為の一つの撮影条件として、構図に着目したものであり、例え推奨される構図で撮影したとしても、他の撮影条件がその撮影に合致したものでなければ、美しい写真は取ることができない。上述の従来技術でも、推奨される撮影条件を提示することも記載されているが、現在撮影しようとする日時、天候によるものでなく、撮影対象を撮影するのに好ましい日時、天候が記載されているのみである。しかしながら、多くの撮影者は撮影のために何度も足を運ぶことはできず、撮影者に、その日時、天候で最適な撮影条件を提供する必要があるが、その手段は記載されていない。【０００６】
一方、近年、銀塩カメラに代わり、デジタルカメラでの撮影が多くなってきている。しかし、このデジタルカメラにより美しい写真を撮影する為には、ホワイトバランス等の銀塩カメラにはない撮影条件も考慮しなければならず、これらの条件は初心者に取って難しいものであった。【０００７】
そこで、本発明は上記課題に鑑みて発明されたものであって、その目的は撮影情報を分析して撮影対象又は撮影状況を求め、これに対応する適切な撮影条件を撮像手段に設定することにより、撮影対象や、その位置、日時等の撮影状況下で、最適な撮影をすることできる撮影技術を提供することにある。
【課題を解決するための手段】
【０００８】
上記課題を解決する第１の発明は、撮影システムであって、
撮影条件を設定する為の撮影条件情報が記憶された記憶手段と、
撮影情報を取得する撮影情報取得手段と、
撮影対象を撮像することにより、撮影対象の画像データを取得する撮像手段と、
前記撮影情報取得手段で取得した撮影情報を分析し、前記画像データの撮影条件情報を、前記記憶手段から取得する撮影情報分析手段と、
前記撮影情報分析手段で取得した撮影条件情報に基づいて、前記撮像手段の撮影条件を設定する撮影条件設定手段とを有することを特徴とする。【０００９】
上記課題を解決する第２の発明は、撮影システムであって、
位置情報と当該位置情報が示す位置に存在する撮影対象とが対応付けられて記憶され、前記撮影対象と前記撮影対象の撮影条件を設定する為の撮影条件情報とが対応付けられて記憶されたデータベースと、
撮影位置を取得する撮影情報取得手段と、
撮影対象を撮像することにより、撮影対象の画像データを取得する撮像手段と、
前記撮影情報取得手段で取得した撮影位置に対応する撮影対象を前記データベースから求め、この撮影対象又は撮影状況に対応する撮影条件情報を、前記データベースから取得する撮影情報分析手段と、
前記撮影情報分析手段で取得した撮影条件情報に基づいて、前記撮像手段の撮影条件を設定する撮影条件設定手段とを有することを特徴とする。
【００１０】
上記課題を解決する第３の発明は、撮影システムであって、
位置情報と当該位置情報が示す位置に存在する撮影対象とが対応付けられて記憶され、撮影情報と撮影状況とが対応付けられて記憶され、前記撮影対象及び前記撮影状況のそれぞれと撮影条件を設定する為の撮影条件情報とが対応付けられて記憶されたデータベースと、
撮影位置及び撮影情報を取得する撮影情報取得手段と、
撮影対象を撮像することにより、撮影対象の画像データを取得する撮像手段と、
前記撮影情報取得手段で取得した撮影位置に対応する撮影対象を前記データベースから求め、前記撮影情報取得手段で取得した撮影情報に対応する撮影状況を前記データベースから求め、この撮影対象と撮影状況に対応する撮影条件情報を、前記データベースから取得する撮影情報分析手段と、
前記撮影情報分析手段で取得した撮影条件情報に基づいて、前記撮像手段の撮影条件を設定する撮影条件設定手段とを有し、
前記撮影条件設定手段は、撮影対象に対応する撮影条件情報と撮影状況に対応する撮影条件情報とを組み合わせて前記撮像手段の撮影条件を設定することを特徴とする。
【００１１】
上記課題を解決する第４の発明は、撮影システムであって、
撮影条件を設定する為の撮影条件情報と、この撮影条件情報が適用される撮影対象及び撮影状況とが対応付けられて記憶された撮影条件情報データベースと、
撮影位置及び撮影情報を取得する撮影情報取得手段と、
位置情報と撮影対象とが対応付けられて記憶され、撮影情報と撮影状況とが対応付けられて記憶された撮影情報データベースと、
撮影対象を撮像することにより、撮影対象の画像データを取得する撮像手段と、
前記撮影情報取得手段で取得した撮影位置及び撮影情報に対応する撮影対象及び撮影情報撮影状況を、前記撮影情報データベースから検索し、この撮影対象及び撮影状況に対応する撮影条件情報を、前記撮影条件情報データベースから取得する撮影情報分析手段と、
前記撮影情報分析手段で取得した撮影条件情報に基づいて、前記撮像手段の撮影条件を設定する撮影条件設定手段とを有し、
前記撮影条件設定手段は、撮影対象に対応する撮影条件情報と撮影状況に対応する撮影条件情報とを組み合わせて前記撮像手段の撮影条件を設定することを特徴とする。
【００１２】
上記課題を解決する第５の発明は、上記第１から第４の発明において、前記撮影情報取得手段は、撮影位置の情報を取得する手段であることを特徴とする。【００１３】
上記課題を解決する第６の発明は、上記第１から第５の発明において、前記撮影情報取得手段は、撮影日時の情報を取得する手段であることを特徴とする。【００１４】
上記課題を解決する第７の発明は、上記第１から第６の発明において、前記撮影情報取得手段は、撮影時の天候の情報を取得する手段であることを特徴とする。【００１５】
上記課題を解決する第８の発明は、上記第１から第７の発明において、前記撮影情報取得手段は、撮影角度の情報を取得する手段であることを特徴とする。【００１６】
上記課題を解決する第９の発明は、上記第１から第８の発明において、画像データを補正する為の画像補正情報が記憶された記憶手段と、
前記撮影情報取得手段で取得した撮影情報を分析し、前記画像データの画像補正情報を、前記記憶手段から取得する撮影情報分析手段と、
前記撮影情報分析手段で取得した画像補正情報に基づいて、前記撮像手段で取得した画像データを補正処理する画像処理手段とを有することを特徴とする。
上記課題を解決する第１０の発明は、撮影システムであって、
撮影条件を設定する為の撮影条件情報が記憶された記憶手段と、
撮影情報を取得する撮影情報取得手段と、
前記撮影情報取得手段で取得した撮影情報を分析し、前記画像データの撮影条件情報を、前記記憶手段から取得する撮影情報分析手段と、
前記撮影情報分析手段で取得した撮影条件情報に基づいて、撮像手段の撮影条件を設定する撮影条件設定手段とを有することを特徴とする。【００１７】
上記課題を解決する第１１の発明は、撮影条件設定方法であって、
撮影時に撮影位置を取得し、この撮影位置に対応する撮影対象を、位置情報と当該位置情報が示す位置に存在する撮影対象とを対応付けるデータベースから求め、この撮影対象に対応する撮影条件情報を、撮影対象と撮影条件情報とを対応付けるデータベースから検索し、この撮影条件情報に基づいて、撮影条件を設定することを特徴とする。
【００１８】
上記課題を解決する第１２の発明は、撮影条件設定方法であって、
撮影時に撮影位置及び撮影情報を取得し、これらの撮影位置及び撮影情報に対応する撮影対象及び撮影状況を、位置情報と当該位置情報が示す位置に存在する撮影対象とを対応付けるとともに撮影情報と撮影状況とを対応付けるデータベースから求め、この撮影対象及び撮影状況に対応する撮影条件情報を、撮影対象及び撮影状況と当該撮影対象の撮影条件情報とを対応付けるデータベースから検索し、この撮影条件情報に基づいて、撮影条件を設定することを特徴とする。
【００１９】
上記課題を解決する第１３の発明は、撮影条件設定方法であって、
あらかじめ位置と、撮影条件の情報を蓄積し、撮影された位置より前記蓄積された情報を検索して対応する撮影条件の情報を抽出し、前記撮影条件の情報を用いて撮影条件を設定することを特徴とする。【００２０】
上記課題を解決する第１４の発明は、画像処理方法であって、
あらかじめ位置と日時と撮影条件の情報を蓄積し、撮影された位置と日時より前記蓄積された情報を検索して対応する撮影条件の情報を抽出し、前記撮影条件の情報を用いて撮影条件を設定することを特徴とする。【００２１】
上記課題を解決する第１５の発明は、撮影条件設定方法であって、
あらかじめ位置と日時と天候と撮影条件の情報を蓄積し、撮影された位置と日時と天候より前記蓄積された情報を検索して対応する撮影条件の情報を抽出し、前記撮影条件の情報を用いて撮影条件を設定することを特徴とする。【００２２】
上記課題を解決する第１６の発明は、撮影条件設定方法であって、
あらかじめ位置と日時と天候と角度と撮影条件の情報を蓄積し、撮影された位置と日時と天候と角度より前記蓄積された情報を検索して対応する撮影条件の情報を抽出し、前記撮影条件の情報を用いて撮影条件を設定することを特徴とする。【００２３】
上記課題を解決する第１７の発明は、上記第１１から第１６の発明において、前記撮影情報を分析して撮影対象又は撮影状況を求め、この撮影対象及び撮影状況に対応する画像補正情報を、蓄積された画像補正情報から検索し、この画像補正情報に基づいて撮影した画像を補正処理することを特徴とする。【００２４】
上記課題を解決する第１８の発明は、撮影システムであって、
撮影対象を撮像することにより、撮影対象の画像データを取得する撮像手段と、
撮影位置を取得する撮影情報取得手段と、
送信されてきた撮影条件情報に基づいて、前記撮像手段の撮影条件を設定する撮影条件設定手段と、
前記撮影情報取得手段で取得した撮影位置を送信する手段とを有する携帯端末と、
位置情報と撮影対象とが対応付けて記憶され、撮影対象と、撮像手段の撮影条件を設定する為の撮影条件情報とが対応付けられて記憶された記憶手段と、
前記携帯端末から撮影位置を受信し、受信した撮影位置に対応する撮影対象を前記記憶手段から求め、この撮影対象及び撮影状況に対応する撮影条件情報を、前記記憶手段から取得する撮影情報分析手段と、
前記撮影情報分析手段で取得した撮影条件情報を携帯端末に送信する送信手段とを有するサーバと
を有することを特徴とする。
【００２５】
上記課題を解決する第１９の発明は、携帯端末であって、
撮影対象を撮像することにより、撮影対象の画像データを取得する撮像手段と、撮影位置を取得する撮影情報取得手段と、前記撮影位置を、外部のサーバに送信する手段と、前記撮影対象に対応する撮影条件情報を、外部のサーバから受信する手段と、前記取得した撮影条件情報に基づいて、前記撮像手段の撮影条件を設定する撮影条件設定手段とを有することを特徴とする。
【００２６】
上記課題を解決する第２０の発明は、撮影の為の撮影条件情報を端末に送信するサーバであって、位置情報と撮影対象とが対応付けて記憶され、撮影対象と、撮影の為の撮影条件情報が記憶された記憶手段と、端末より送信されてくる撮影位置を受信し、受信した撮影位置に対応する撮影対象前記記憶手段からを求め、この撮影対象に対応する撮影条件情報を、前記記憶手段から取得する撮影情報分析手段と、前記撮影情報分析手段で取得した撮影条件情報を前記端末に送信する送信手段とを有することを特徴とする。
【００２７】
上記課題を解決する第２１の発明は、携帯端末のプログラムであって、前記プログラムは、前記携帯端末を、撮影位置を取得する撮影情報取得手段と、前記撮影位置を、外部のサーバに送信する手段と、前記撮影対象に対応する撮影条件情報を、外部のサーバから受信する手段と、前記取得した撮影条件情報に基づいて、撮影対象の画像データを取得する撮像手段の撮影条件を設定する撮影条件設定手段として機能させることを特徴とする。
【００２８】
上記課題を解決する第２２の発明は、撮影の為の撮影条件情報を端末に送信する情報処理装置のプログラムであって、前記プログラムは、前記情報処理装置を、端末より送信されてくる撮影位置を受信し、受信した撮影位置に対応する撮影対象を、位置情報と撮影対象とが対応付けられるデータベースから求め、この撮影対象に対応する撮影条件情報を、撮影対象と撮影条件情報とが対応付けられるデータベースから取得する撮影情報分析手段と、前記撮影情報分析手段で取得した撮影条件情報を前記端末に送信する送信手段として機能させることを特徴とする。
【００２９】
本発明は、まず、図１に示される如く、カメラ等の撮像部１で撮影対象を撮影し、画像データを得る。一方、撮影時の情報である撮影情報を撮影情報取得部２により取得する。ここで、撮影情報取得部２で取得される撮影情報は、例えば、撮影位置、撮影日時、撮影時の天候、撮影角度や方向、撮影レンズの画角等である。【００３０】
また、記憶部３には、撮影情報から導き出される最適な撮影条件情報が格納されている。尚、撮影条件情報は、例えば、撮影時のホワイトバランスや明度、彩度といった色に関する条件のみならず、輪郭強調等の条件も含まれる。【００３１】
撮影情報分析部４は、撮影情報取得部２から与えられた撮影情報を分析し、撮影に適切な撮影条件情報を記憶部３から読み出す。そして、撮影条件設定部５は、撮影条件情報取得部４で得られた撮影条件情報に基づいて、撮像部１の撮影条件を設定する。
【発明の効果】
【００３２】
本発明によれば、撮影者が特別な操作を行うことなく、位置情報や日時情報と言った撮影情報を取得し、この撮影情報の分析結果に基づいた適切な撮影条件情報を取得し、この撮影条件で撮影されるので、写真やカメラの知識のない者であっても、簡単にすばらしい撮影画像を手にすることができる。【００３３】
また、本発明によれば、位置情報や日時情報と言った撮影情報を分析して撮影対象や、撮影状況を求め、この撮影対象や、撮影状況から撮影条件情報を取得するように構成されているので、従来技術のように、具体的な撮影対象や、撮影状況を認識せずに撮影条件を提示するものとは異なり、色々な撮影対象や、複雑な撮影状況であっても、適切な撮影条件を取得することができる。
【図面の簡単な説明】
【００３４】
【図１】図１は本発明の概要を説明する為の図である。
【図２】図２は本発明の実施の形態の概要を説明する為の図である。
【図３】図３は第１の実施の形態の概要を説明する為の図である。
【図４】図４は第２の実施の形態の概要を説明する為の図である。
【図５】図５は第３の実施の形態の概要を説明する為の図である。
【図６】図６は第４の実施の形態の概要を説明する為の図である。
【図７】図７は第５の実施の形態の概要を説明する為の図である。
【図８】図８は実施例１の概要を説明する為の図である。
【図９】図９は実施例２の概要を説明する為の図である。
【図１０】図１０は従来の技術を説明する為の図である。
【符号の説明】
【００３５】
１          撮像部
２          撮影情報取得部
３          記憶部
４          撮影情報分析部
５          撮影条件設定部５
【発明を実施するための最良の形態】
【００３６】
まず、本発明を実施するための最良の形態の概要を、図２を参照して詳細に説明する。尚、上述した図１と同様なものについては同じ符号を付す。【００３７】
本発明は、まず、カメラ等の撮像部１で撮影対象を撮影し、画像データを得る。一方、撮影時の情報である撮影情報を撮影情報取得部２により取得する。ここで、撮影情報取得部２で取得される撮影情報は、例えば、撮影位置、撮影日時、撮影時の天候、撮影角度や方向等である。【００３８】
撮影情報分析部４は、撮影情報取得部２から与えられた撮影情報を分析する為、撮影情報に対応した撮影対象や撮影状況を記憶した撮影情報データベース４１を有している。例えば、撮影情報データベース４１は、緯度・経度、方向等の情報と、撮影対象の情報とが関連付けられて記憶されている。また、緯度・経度、方向、日時等の情報と、朝、夜景、順光、逆光等といった撮影状況の情報とが関連付けられて記憶されている。【００３９】
このような撮影情報データベース４１により、撮影情報分析部４は、撮影情報取得部２から与えられた撮影情報（例えば、緯度・経度、方向、日時等の情報）に対応する情報を、撮影情報データベース４１から検索し、この情報に関連付けられた撮影対象、撮影状況を求める。例えば、緯度・経度、方向等の情報から撮影対象が海であるとか、緯度・経度、方向、日時等の情報から撮影状況が夕焼けと、ピンポイント的に撮影対象や撮影状況を判断することができる。【００４０】
尚、撮影情報データベース４１は、かならずしも、複数の撮影情報と、撮影状況や撮影対象とが一対一に関連付けられている必要はなく、一つの撮影情報と、撮影状況や撮影対象を求める為の補助情報とを関連付けて記憶するようにしても良い。そして、撮影情報から得られた複数の補助情報に基づいて、撮影情報分析部４が撮影対象や撮影状況を求めるように構成しても良い。例えば、撮影情報分析部４は、撮影情報データベース４１を検索し、位置情報から高山といった補助情報を得て、日時情報から冬といった補助情報を得た場合、高山と冬との組み合わせから撮影対象が雪山であると判断するように構成しても良い。【００４１】
記憶部３には、最適な撮影条件を設定する為の撮影条件情報と、この撮影条件情報が適用される撮影対象又は撮影状況とが対応して記憶された撮影条件情報データベース３１を有している。尚、撮影条件情報は、例えば、画像のホワイトバランスや明度、彩度といった色に関する条件のみならず、輪郭強調等の条件も含まれ、更に、撮像部１のレンズの画角、絞りや、シャッター速度等も含まれる。【００４２】
そして、上述したように、撮影情報分析部４は、撮影情報取得部２から与えられた撮影情報を分析し、撮影対象や撮影状況を求め、この撮影対象や撮影状況に対応する撮影条件情報を記憶部３から読み出す。撮影条件設定部５は、撮影情報分析部４で得られた撮影条件情報に基づいて、撮像部１に撮影条件を設定する。撮影部１は、設定された撮影条件で、撮影対象を撮像し、画像を取得する。【００４３】
尚、撮影情報分析部４の撮影情報データベース４１と撮影条件情報データベース３１とをまとめて一つのデータベースとし、このデータベースを記憶部３に格納するようにしても良い。この場合、撮影情報分析部４は、記憶部３のデータベースを参照して撮影条件情報を読み出す。【００４４】
次に、上述した概要に基づく、本発明の第１の実施の形態について、図３を参照して詳細に説明する。尚、上述した図１、図２と同様なものについては同じ符号を付す。【００４５】
本発明は、図３に示す如く、カメラ等の撮像部１と、撮影時の情報である撮影情報を取得する撮影情報取得部２と、撮影画像を補正する為の撮影条件情報と撮影対象とが対応して記憶されている記憶部３と、撮影情報取得部２から与えられた撮影情報を分析して撮影対象を求め、それらの撮影対象に対応した撮影条件情報を記憶部３から得る撮影情報分析部４と、撮影情報分析部４で得られた撮影条件情報に基づいて、撮像部１の撮影条件を設定する撮影条件設定部５とを有する。【００４６】
撮像部１は、一眼レフカメラ、デジタルカメラ、デジタルビデオカメラ、カメラ付き携帯電話、USBカメラ等撮影に必要な数々の機能を有する撮像装置である。【００４７】
撮影情報取得部２は、位置情報取得手段２１を備えており、位置情報取得手段２１は、画像の撮影位置を取得するものであり、例えば、GPS衛星からの測位用電波を利用して撮影位置、撮影方位に関する情報をGPS情報として取得する。ここで、撮影位置とは、撮像装置が存在する位置であり、緯度および経度により表される。一方、撮影方位とは撮像装置が撮影対象に向いている方位のことをいう。尚、撮影方位の取得に関しては、撮像部１のレンズ方向の方位を認識できるように電子方位磁石等を設けて取得するようにしても良い。【００４８】
記憶部３は、最適な撮影条件を設定する為の撮影条件情報と、この撮影条件情報が適用される撮影対象とが対応して記憶された撮影条件情報データベース３１を有したメディアである。撮影条件情報は、例えば、ある観光名所において撮影を行う際に最適な撮影パラメータを表すものであり、撮影対象（ここでは建物名）と対応付けられて記憶部３に記憶されている。例えば、撮影対象（ここでは建物名）が金閣寺の場合、撮影条件情報は金閣寺の建造物がくっきり見えるような撮影条件情報を記憶しているものである。【００４９】
撮影情報分析部４は、位置情報に基づいて撮影対象を分析し、この撮影対象に対応する撮影条件情報を記憶部３から読み出すものである。具体的には、図３に示される如く、ある一定の位置情報毎にそこに存在する建物名（撮影対象）を、撮影情報データベース４１に記憶しておき、位置情報取得手段２１で取得した位置情報に対応する建物名（撮影対象）を、撮影情報データベース４１から求める。そして、この建物名（撮影対象）に対応する撮影条件情報を、記憶部３の撮影条件情報データベース３１から読み出す。【００５０】
例えば、位置情報が緯度・経度ａであるならば、撮影情報分析部４は撮影対象が金閣寺であると分析し、金閣寺に対応した撮影条件情報を記憶部３の撮影条件情報データベース３１から読み出す。【００５１】
撮影条件設定部５は、撮影情報分析部４より得られた撮影条件情報に基づいて、撮像部１に撮影条件を設定する。【００５２】
本実施の形態における効果は、撮影者が特別な操作を行うことなく、位置情報を取得することにより自動的にその位置にどのような撮像物（撮影対象）があるか分析し、その撮像物（撮影対象）を撮影するのに最適な撮影条件を設定して撮影できることである。【００５３】
尚、上述の例では、記憶部３の撮影条件情報データベース３１に建物名（撮影対象）と撮影条件情報とを関連付けて記憶させ、撮影情報分析部４は、撮影情報を分析して得られた建物名（撮影対象）に対応した撮影条件情報を読み出すように構成した。【００５４】
しかしながら、これに限ることなく、撮影条件情報データベース３１にホワイトバランスや、シャープネスといった撮影条件と、それらのパラメータの設定に用いられる複数の補正値やレベルとを関連付けて記憶させておき、撮影情報分析部４の撮影対象の分析後、撮影情報分析部４がその撮影対象に適したホワイトバランスや、シャープネスのレベルといった撮影条件情報を撮影条件情報データベース３１から読み出すように構成しても良い。例えば、位置情報が緯度・経度１であるならば、撮影情報分析部４は撮影対象が金閣寺であると分析し、金閣寺を撮影するのに最適な撮影条件情報としてシャープネスや金閣寺の外装である金の色が最適になるパラメータ情報を記憶部３の撮影条件情報データベース３１から読み出すように構成する。【００５５】
そして、撮影条件設定部５は、例えば金閣寺の場合、撮影情報分析部４からえられたシャープネスのレベルに設定し、金閣寺の外装の色が好ましい金色になるよう色パラメータを設定する。【００５６】
次に、本発明の第２の実施の形態について説明する。【００５７】
図４は本発明の第２の実施の形態によるシステムの構成を示す概要ブロック図である。尚、第２の実施の形態において第１の実施の形態と同様な構成については同一の符号を付し、詳細な説明は省略する。【００５８】
第２の実施の形態では、位置情報取得手段２１に加えて日時情報取得手段２２を撮影情報取得部２に設ける。日時情報取得手段２２は、映像の撮影された日時を取得するものであり、例えば、撮像装置に内蔵されたタイマーから撮影日時情報を取得する。また、USBカメラ等タイマーの内蔵機能がない撮像装置は、撮像装置の接続先であるコンピュータ等から撮影日時情報を取得する。あるいは、位置情報取得手段２１のGPS情報を代用し撮影日時情報を取得するようにしても良い。【００５９】
記憶部３には、撮影対象に加えて撮影状況が加えられており、位置情報及び日時より、その位置及び日時で撮影された画像を補正するのに適した撮影条件情報が対応付けられて記憶されている。例えば、図４の撮影条件情報データベース３１では、撮影対象として、具体的な撮影対象名や建物名が記憶されており、撮影状況として夜景、夕方、日中等が記憶されている。そして、撮影対象が金閣寺の場合、撮影条件情報は金閣寺の建造物がくっきり見えるような撮影条件情報が記憶されており、撮影状況が夜景の場合は夜景用のホワイトバランス等の撮影条件情報が記憶されている。【００６０】
撮影情報分析部４は、位置情報及び日時情報に基づいて撮影対象又は撮影状況を分析し、この撮影対象又は撮影状況に対応する撮影条件情報を記憶部３から読み出すものである。具体的には、図４に示される如く、ある一定の位置情報毎にそこに存在する建物名を記憶しておき、位置情報取得手段２１で取得した位置情報に対応する撮影対象を求める。また、ある一定の日時情報毎にそこに適する状況を記憶しておき、日時情報取得手段２２で取得した日時情報に対応する撮影状況を求める。そして、撮影対象又は撮影状況に対応する撮影条件情報を記憶部３から読み出す。【００６１】
例えば、位置情報が緯度・経度ａであるならば、撮影情報分析部４は撮影対象が金閣寺であり、日時情報“9月25日19時”であるならば撮影状況が夜景での撮影であると分析し、撮影対象が金閣寺及び撮影状況が夜景の撮影条件情報を記憶部３から読み出す。そして、撮影条件設定部５は、金閣寺の撮影条件情報及び夜景の撮影条件情報に基づいて、金閣寺がはっきりと見えるようなエッジ強調の撮影条件を、また、夜景に適したホワイトバランス等を、撮像部１に設定する。【００６２】
このとき、撮影情報分析部４は、いくつかの撮影条件とその量がえられた時はそれぞれの効果をマージし、より最適な撮影条件を算出し、その算出結果を撮影条件としてもよい。【００６３】
例えば金閣寺の撮影条件情報及び夜景の撮影条件情報という複数の撮影条件情報を得られた場合は、ガンマ補正の量とシャープネスそれぞれに定義されている量をそのまま適応してしまうと、ある部分には想定されていた補正以上の補正がかかり、かえってノイズの目立つ画像になってしまうことがある。そこで、それぞれに定義されている量から最終取得画像の効果を考えた最終撮影条件を算出する。【００６４】
本実施の形態における効果は、撮影者が特別な操作を行うことなく、位置情報及び日時情報を取得することにより自動的にその位置情報よりどのような撮像物があるか分析しその日時情報よりその撮像物の撮影状況を分析し、その撮像物に撮影するのに最適な撮影条件を得ることができることである。【００６５】
次いで、本発明の第３の実施の形態について説明する。【００６６】
図５は本発明によるシステムの第３の実施の形態によるシステムの構成を示す概要ブロック図である。尚、第３の実施の形態において第１及び第２の実施の形態と同一の構成については同一の符号を付し、詳細な説明は省略する。【００６７】
第３の実施の形態では、撮影情報取得部２に備えられた天候情報取得手段２３は、画像の撮影された時の天候を取得する。撮影位置における天候情報を提供する天候情報サーバ等にアクセスして、GPS情報に基づいて撮影位置における天候情報を取得する。【００６８】
記憶部３は、上述した第１及び第２の実施の形態の情報に加え、例えば、撮影時が晴れ、くもりと言った撮影状況に対応して画像を補正するのに適した撮影条件情報が記憶されている。【００６９】
撮影情報分析部４は、位置情報、日時情報及び天候情報に基づいて撮影情報又撮影状況を分析し、この撮影情報又撮影状況に対応する撮影条件情報を記憶部３から読み出すものである。具体的には、図５に示される如く、ある一定の位置情報毎にそこに存在する建物名を記憶しておき、位置情報取得手段２１で取得した位置情報に対応する撮影対象を求める。また、ある一定の日時情報毎にそこに適する状況を記憶しておき、日時情報取得手段２２で取得した日時情報に対応する撮影状況を求める。そして、これらの撮影対象及び撮影状況に対応する撮影条件情報を記憶部３から読み出す。また、撮影情報分析部４は、位置情報等に基づいて、天候情報サーバ等から取得した天候情報から晴れ、くもりと言った撮影状況に対応する撮影条件情報を記憶部３から読み出す。【００７０】
例えば、撮影情報分析部４は、撮影情報の位置情報が緯度・経度１、撮影情報の日時情報が10月25日19時、撮影情報の天候情報が曇りである場合、撮影対象が“金閣寺”、撮影状況が“夜景”及び“曇り”であり、各々の撮影対象及び撮影状況に対応する撮影条件情報を記憶部３より読み出す。そして、撮影条件設定部５は、撮影情報分析部４より得られた撮影条件情報に基づいて、金閣寺がはっきりと見えるようなエッジ強調のパラメータを設定し、そして夜間撮影のホワイトバランス等を設定し、適切な色になるように彩度のパラメータを設定する。【００７１】
尚、記憶部３でこれらの撮影条件を別個にもつことなく、組み合わせ、この組み合わせに適切な撮影条件情報を記憶するようにし、撮影情報分析部４は撮影条件の組み合わせに適した一つの撮影条件情報を読み出すようにしても良い。【００７２】
例えば、１０月下旬の晴れの日の金閣寺では、紅葉の鑑賞の為に夜にはライトアップされているとすると、記憶部３に、“金閣寺”、“１０月下旬19〜21時”、“曇り”の場合の撮影条件情報として夜間ライトアップされた紅葉と金閣寺とを撮影するのに最適な撮影条件情報を記憶しておき、撮影情報分析部４は、撮影情報の位置情報が緯度・経度１、撮影情報の日時情報が10月25日19時、撮影情報の天候情報が曇りである場合、その撮影条件情報を記憶部３から読み出すようにしても良い。【００７３】
このようにすれば、撮影条件設定部５は、この撮影条件情報に基づいて、夜間ライトアップされた紅葉と金閣寺とを撮影するのに適切な撮影条件情報を撮像部１に設定することができる。撮影条件の例としては、取得した撮影条件情報に基づいて、夜間にライトアップされた紅葉部分のみを紅葉らしく赤く好ましい色となるよに赤色の彩度が高くなるように設定し、金閣寺にはライトアップの影響を考慮したエッジ強調のためにシャープネスのレベルを高く設定する。【００７４】
同様に、山や海の補正の場合、晴れの日の８月中旬に山や海を撮影した時、位置情報から山や海が、日時情報から夏が、天候は晴れであるという情報が分析され、その状況に対応付けられた夏山の緑や夏海の空に最適な好ましい色で撮影できるような撮影条件も得ることができる。【００７５】
本実施の形態における効果は、撮影者が特別な操作を行うことなく、位置情報、日時情報及び天候情報を取得することにより自動的にその位置情報よりどのような撮像物があるか分析し、その日時情報よりその撮像物の状況を分析し、天候情報により撮像物の写り具合を分析し、その撮像物に最適な撮影条件を得ることができることである。【００７６】
次いで、本発明の第４の実施の形態について説明する。【００７７】
図６は本発明によるシステムの第４の実施の形態によるシステムの構成を示す概要ブロック図である。なお、第４の実施の形態において、第１、第２及び第３の実施の形態と同一の構成については同一の符号を付し、詳細な説明は省略する。【００７８】
撮影情報取得部２に備えられた角度情報取得手段２４は、画像の撮影された時の撮像装置の角度を取得する。撮像装置の角度はジャイロ・重力センサーなどを用いて取得する。【００７９】
記憶部３は、上述した第１、２及び第３の実施の形態の情報に加え、例えば、撮影角度を加味した撮影条件情報が記憶されている。例えば、同じ金閣寺を撮影する場合であっても、順光や逆光とでは撮影条件の内容も異なる。そこで、撮影状況として、順光、斜光や逆光とった撮影状況の撮影条件情報も複数用意する。【００８０】
撮影情報分析部４は、GPS情報に含まれる位置情報、内蔵タイマーに基づいて取得される日時情報、天候情報サーバにアクセスして得られる天候情報及び重力センサーから得られる角度情報から適切な撮影対象及び撮影状況を分析し、この撮影対象及び撮影状況に対応した撮影条件情報を記憶部３から読み出すものである。従って、撮影情報データベース４１には、角度情報も加味したデータベースとなり、位置情報及び日時情報から撮影場所と太陽との位置関係、位置情報及び角度情報から撮像装置のレンズと太陽との位置関係がわかるようなデータベースを構築しておく。【００８１】
このようなデータベースを持てば、例えば、晴天の4月中旬の10時頃に撮影した時、位置情報及び日時情報から撮影場所と太陽の位置関係、角度情報から撮像装置のレンズと太陽の位置関係が撮影情報データベース４１から分析され、更に天候情報から晴れと解れば、撮影状況が逆光状態であることが解る。【００８２】
このとき撮影条件設定部５は、撮影情報分析部４より得られた撮影条件情報に基づいて、撮像部１の撮影条件を設定する。【００８３】
この本実施の形態における効果は、撮影者が特別な操作を行うことなく、位置情報、日時情報天候情報、角度情報を取得することにより自動的に撮影時の位置情報からどのような撮像物があるか分析し、日時情報からその撮像物の状態を分析し、天候情報から撮像物の写り具合を分析し、角度情報から撮影装置のレンズの向きを分析し、その撮像物を撮影するのに最適な撮影条件を得られることである。
尚、撮影対象物を特定する情報として、位置情報とともに角度情報を用いても良い。例えば、位置情報から撮影位置が特定でき、更に角度情報から撮影方向や撮影角度が特定できるので、予め位置情報及び角度情報と撮影対象物とを対応付けて撮影情報データベース４１に記憶させておき、更に、その撮影対象物と、この撮影対象物の撮影条件とを対応付けて撮影条件情報データベース３１に記憶させておけば、撮影対象に最適な撮影条件を得ることができる。具体的に述べれば、金閣寺を撮影する際、位置情報から金閣寺が撮影対象であることは解るが、金閣寺をどのような構図で撮影しようとしているのかまでは不明である。ここで、角度情報を用いれば、前景に池を配置した金閣寺を撮影しようとしているのか、空をバックに金閣寺を撮影しようとしているのかまで、詳細に撮影対象を特定することができる。従って、前景に池を配置した金閣寺の撮影ならば、池の水の質感がでて、更に金閣寺が綺麗に撮影できる撮影条件を取得でき、また、空をバックにした金閣寺の撮影ならば、空の青色が濃く美しく表現できるような撮影条件を取得でき、この撮影条件により適切な撮影が行える。【００８４】
次いで、本発明の第５の実施の形態について説明する。【００８５】
図７は本発明によるシステムの第５の実施の形態によるシステムの構成を示す概要ブロック図である。なお、第４の実施の形態において、第１、第２、第３及び第４の実施の形態と同一の構成については同一の符号を付し、詳細な説明は省略する。【００８６】
第５の実施の形態は、撮像部１で撮影された撮影対象の画像データを補正処理する画像処理部６を更に有することを特徴とする。この画像処理部６は、画像補正情報に基づいて画像データを補正処理するものであるが、画像補正情報は上述した撮影情報の分析結果を活用する。【００８７】
この画像補正情報は記憶部３に記憶されており、記憶部３は撮影画像を補正する為の画像補正情報と、この画像補正情報が適用される撮影対象又は撮影状況とが対応して記憶された画像補正情報データベース３２を有している。尚、画像補正情報は、例えば、画像のホワイトバランスや明度、彩度といった色補正のみならず、輪郭強調等の画像データ自体の加工も含まれる。【００８８】
そして、上述したように、撮影情報分析部４は、撮影情報取得部２から与えられた撮影情報を分析し、撮影対象や撮影状況を求め、この撮影対象や撮影状況に対応する画像補正情報を記憶部３から読み出す。画像処理部６は、画像補正情報取得部４で得られた補正情報に基づいて、撮像部１で得られた撮影対象の画像データに補正処理を施す。【００８９】
尚、撮影情報分析部４の撮影情報データベース４１と画像補正情報データベース３１とをまとめて一つのデータベースとし、このデータベースを記憶部３に格納するようにしても良い。この場合、撮影情報分析部４は、記憶部３のデータベースを参照して画像補正情報を読み出す。【００９０】
本実施の形態における効果は、例えば、撮影画像の一部のみに補正を加えたい場合などの撮影時の条件だけでは補完しきれないような場合、撮影後の画像に適切な補正処理を行うことにより、美しい撮影画像が得られることである。
【実施例１】
【００９１】
本発明の実施例１を説明する。【００９２】
図８は本発明の実施例１の構成を示す図である。【００９３】
図７に示される如く、本システムは、携帯電話１００と、サーバ２００と、携帯電話１００とサーバ２００とを接続するネットワーク３００とから構成される。【００９４】
携帯電話１０は、上述した撮像部１と、撮影情報取得部２と、撮影条件設定部５とを有しており、更に、撮影情報取得部２で取得した撮影情報や、サーバ２００から送信される撮影条件情報を送受信する送受信部１０１を有する。【００９５】
サーバ２００は、上述した記憶部３と撮影情報分析部４とを有し、更に携帯電話１００から送信されてくる撮影情報や、携帯電話１００に送信する撮影条件情報を送信する送受信部２０１とを有する。【００９６】
このように構成されたシステムにおいて、携帯電話１００のユーザは、携帯電話１００の撮像部１により撮影行う。これと共に携帯電話１００の撮影情報取得部２は撮影情報を取得する。そして、取得された撮影情報は、送受信部１０１を介してサーバ２００に送信される。【００９７】
サーバ２００では、送受信部２０１を介して携帯電話１００から撮影情報を受信し、撮影情報分析部４により撮影情報が分析されて撮影対象や、撮影状況が求められる。そして、これらの撮影対象や撮影状況に対応する撮影条件情報を記憶部３より読み出し、この撮影条件情報を送受信部２０１を介して携帯電話１００に送信する。【００９８】
携帯電話では、送受信部１０１を介してサーバ２００から撮影条件情報を受信し、この撮影条件情報に基づいて、撮影条件設定部５が撮像部１の撮影条件を設定する。【００９９】
このような構成にすれば、記憶容量等に限界のある携帯電話のような携帯端末であっても本発明を適用することができる。
【実施例２】
【０１００】
本発明の実施例２について説明する。【０１０１】
実施例１における携帯電話１００及びサーバ２００は、以上の説明からも明らかなように、ハードウェアで構成することも可能であるが、コンピュータプログラムにより実現することも可能である。【０１０２】
図９は、サーバ２００の一部をインプリメントした情報処理装置の一般的ブロック構成図である。【０１０３】
図９に示す情報処理装置は、プロセッサ５００、プログラムメモリ５０１、記憶媒体５０２からなる。【０１０４】
記憶媒体５０２は、実施例１及び実施例２における記憶部３及び撮影情報分析部４の撮影情報データベース４１に相当する。尚、記憶媒体５０２は、複数の記憶媒体であってもよいし、同一の記憶媒体からなる記憶領域であってもよい。記憶媒体としては、ハードディスク等の磁気記憶媒体を用いることができる。【０１０５】
プログラムメモリ５０１には、上述した実施例１及び実施例２における撮影情報分析部４としての処理を、プロセッサ５００に行わせるプログラムが格納されており、このプログラムによってプロセッサ５００は動作し、送受信部２０１に指示する。【０１０６】
また、送受信部２０１の処理の一部を、プロセッサ５００が処理するように構成してもかまわない。【０１０７】
以上の説明からも明らかなように、ハードウェアの全部又は一部を、コンピュータプログラムにより実現することも可能である。【０１０８】
尚、携帯電話１００についても、サーバ２００と同様にハードウェアの全部又は一部を、コンピュータプログラムにより実現することも可能である。この場合、撮影情報収得部２や撮影条件設定部５の全部又は一部を、プロセッサ５００により実現する。
【図１】
0004984044.tif 000002
【図２】
0004984044.tif 000003
【図３】
0004984044.tif 000004
【図４】
0004984044.tif 000005
【図５】
0004984044.tif 000006
【図６】
0004984044.tif 000007
【図７】
0004984044.tif 000008
【図８】
0004984044.tif 000009
【図９】
0004984044.tif 000010
【図１０】
0004984044.tif 000011